(57)【要約】  計時を行う第１計時回路を持つ第１処理部と、前記第１処理部とデータ授受可能に接続されており、計時を行う第２計時回路を持つ第２処理部と、前記第１処理部と前記第２処理部に電源を供給する電源部とを有し、前記第２処理部は前記第１処理部の第１計時回路から時刻情報を取得して前記第２計時回路に設定する。
2012120625.tif 000002
【特許請求の範囲】
【請求項１】
計時を行う第１計時回路を持つ第１処理部と、
前記第１処理部とデータ授受可能に接続されており、計時を行う第２計時回路を持つ第２処理部と、
前記第１処理部と前記第２処理部に電源を供給する電源部とを有し、
前記第２処理部は前記第１処理部の前記第１計時回路から時刻情報を取得して前記第２計時回路に設定する
ことを特徴とする電子機器。
【請求項２】
請求項１記載の電子機器において、
前記電源部から前記第１処理部への電源の供給をオン／オフする第１電源スイッチを
有することを特徴とする電子機器。
【請求項３】
請求項２記載の電子機器において、
前記電源部から前記第２処理部への電源の供給をオン／オフする第２電源スイッチを
有することを特徴とする電子機器。
【請求項４】
請求項５記載の電子機器において、
前記第２電源スイッチは、前記第１電源スイッチがオンで前記第１処理部への電源の供給行っているときにオンする
ことを特徴とする電子機器。
【請求項５】
請求項４記載の電子機器において、
前記第１処理部は、携帯電話回路であり、前記第１電源スイッチがオンして前記第１処理部への電源の供給を行ったときに基地局から時刻情報を取得して前記第１計時回路に設定する
ことを特徴とする電子機器。
【請求項６】
請求項５記載の電子機器において、
前記第２処理部は、前記第２電源スイッチがオンして前記第２処理部への電源の供給を行ったときに前記第１処理部の前記第１計時回路から時刻情報を取得する
ことを特徴とする電子機器。
【請求項７】
請求項５記載の電子機器において、
前記第２処理部は、携帯電話回路と異なる機能をもつ情報処理回路であることを特徴とする電子機器。
【発明の詳細な説明】
【技術分野】
【０００１】
本発明は、第１処理部と第２処理部を備えた電子機器に関する。
【背景技術】
【０００２】
従来のパーソナルコンピュータの設計では、パーソナルコンピュータの駆動のためにリチウムイオン電池等の二次電池を搭載し、かつ、時刻情報を生成するリアルタイムクロック（ＲＴＣ）回路専用にボタン型電池等の一次電池を搭載している。リアルタイムクロック情報はパーソナルコンピュータの電源がオフの間も常時生成もしくは更新する必要があるため、専用の一次電池を用いている。【０００３】
また、従来の携帯電話の設計では、携帯電話の駆動のためにリチウムイオン電池等の二次電池を搭載している。携帯電話はリアルタイムクロック回路を搭載しているが、リアルタイムクロック回路専用の一次電池は持たず、携帯電話駆動用の二次電池を用いてリアルタイムクロック回路を駆動している。これは、携帯電話は起動時に、基地局から現在時刻情報を取得して自身のリアルタイムクロック回路の時刻情報を更新するため、携帯電話の電源オフ時にリアルタイムクロック回路を動作させる必要がないからである。【０００４】
ところで、コンピュータの内部回路を収納するケーシングに標準電波を取り込むアンテナ１０と接続可能なコネクタと、インターネットと接続可能なコネクタと、ＧＰＳの時刻情報を取り込むアンテナと接続可能なコネクタと、携帯電話と接続可能なコネクタとを設け、各コネクタをケーシングに設けた選択部の対応する接点に接続し、選択部は複数の接点のうちの１つを選択して外部から時刻情報を取り込み、この時刻情報に基づいて自己タイマーの時刻情報を較正し、較正済み時刻情報をコンピュータのＣＰＵに出力する技術が知られている（例えば特許文献１参照）。【０００５】
また、通信機能付携帯情報端末を、データ処理部と、電話部と、データ処理部からの指令に基づいて電話部の電源のオン、オフ制御を行う電源制御手段と、電話部からの通知信号に基づいてデータ処理部の一時動作停止解除の制御を行う起動制御手段とから構成し、メインスイッチをオンにした後でもデータ処理部と電話部との両方をオン状態にできる一方、必要に応じてデータ処理部のみを起動可能な状態で一時動作停止状態にし、或いは電話部のみを電源オフ状態にする技術が知られている（例えば特許文献２参照）。【０００６】
また、システム本体と、システム本体の表面を覆うカバーと、カバーに取り付けられたアンテナと、カバーがシステム本体から開かれたことを検出してリッド・イベント信号を出力するリッド・センサと、アンテナに接続され電力の供給を受けてアクセス・ポイントの検出をする無線モジュールと、電源モジュールとを持ち、電源モジュールは、リッド・センサがリッド・イベント信号を出力したことに応答して無線モジュールに電力を供給する技術が知られている（例えば特許文献３参照）。
【先行技術文献】
【特許文献】
【０００７】
【特許文献１】特開２００１−９２５５７号公報
【特許文献２】特開平１１−２１９２３９号公報
【特許文献３】特開２００８−９７０６９号公報
【発明の概要】
【発明が解決しようとする課題】
【０００８】
ここで、パーソナルコンピュータと携帯電話を一体化した融合機器の設計を考えた場合には、携帯電話側とパーソナルコンピュータ側のそれぞれの駆動用として二次電池を搭載し、パーソナルコンピュータ側に更にリアルタイムクロック回路専用の一次電池を持つことになる。【０００９】
この場合、融合機器は２個の二次電池と１個の一次電池が必要になり、電池の収納スペースが大きくなり、電子機器の小型化が困難であるという問題があった。【００１０】
また、携帯電話とパーソナルコンピュータのそれぞれに駆動用の二次電池を実装した場合、いずれか一方の二次電池が放電しきると、放電しきった側の携帯電話又はパーソナルコンピュータを駆動できなくなり、バッテリの効果的な利用ができない。【００１１】
また、パーソナルコンピュータ側の電源オフ時にも、パーソナルコンピュータ側のリアルタイムクロック回路専用の一次電池が消費される。更に、パーソナルコンピュータと携帯電話の間にて、時刻の同期ズレが発生しやすく、定期的な時刻同期を行うことになれば、時刻同期によるシステムパフォーマンスの低下が発生する、という問題があった。【００１２】
そこで、目的の一つは、上記の点に鑑みなされたものであり、小型化を可能とする電子機器を提供することである。
【課題を解決するための手段】
【００１３】
開示の一実施形態による電子機器は、計時を行う第１計時回路を持つ第１処理部と、前記第１処理部とデータ授受可能に接続されており、計時を行う第２計時回路を持つ第２処理部と、前記第１処理部と前記第２処理部に電源を供給する電源部とを有し、前記第２処理部は前記第１処理部の前記第１計時回路から時刻情報を取得して前記第２計時回路に設定する。
【発明の効果】
【００１４】
本実施形態によれば、第２計時回路専用の電源を不要とすることができ小型化が可能となる。
【図面の簡単な説明】
【００１５】
【図１】筐体開き状態の電子機器の一実施形態の平面図，左側面図，正面図である。
【図２】筐体閉じ状態の電子機器の一実施形態の平面図である。
【図３】電子機器の一実施形態の構成図である。
【図４】電子機器の電源及びＲＴＣ動作の一実施形態のフローチャートである
【発明を実施するための形態】
【００１６】
以下、図面に基づいて実施形態を説明する。
【００１７】
＜電子機器の形状＞
図１（Ａ），（Ｂ），（Ｃ）に筐体開き状態における電子機器の一実施形態の平面図，左側面図，正面図を示し、図２に筐体閉じ状態における電子機器の一実施形態の平面図を示す。
【００１８】
本実施形態における電子機器１０は、第１筐体１１と、第２筐体１２を有する。第１筐体１１と第２筐体１２はそれぞれに設けられている係合部材を互いに係合させており、第２筐体１２に対し第１筐体１１をスライドつまり摺動させることで、図１（Ａ）に示す筐体開き状態から図２に示す筐体閉じ状態に転じ、また、筐体閉じ状態から筐体開き状態に転じる。この電子機器１０は、携帯して利用可能なサイズの装置である。
【００１９】
図１及び図２において、第１筐体１１には、携帯電話として機能する回路部とパーソナルコンピュータの一部回路が収納されており、第２筐体１２には、パーソナルコンピュータとして機能する回路部が収納されている。なお、第２筐体１２にも携帯電話の一部回路が収納される場合もある。第１筐体１１の上面に設けられた液晶パネル等の表示部１３は携帯電話とパーソナルコンピュータで共用する。
【００２０】
第１筐体１１の上面には携帯電話部２０の電源スイッチ１４が設けられており、第１筐体１１の側面にはパーソナルコンピュータ部２０の電源スイッチ１５が設けられている。第２筐体１２の上面には入力装置としてのキーボード部１６が設けられており、携帯電話とパーソナルコンピュータで共用する。
【００２１】
＜電子機器の構成＞
図３に電子機器の一実施形態の構成図を示す。図３において、電子機器１０は第１筐体１１に収納される第１処理部としての携帯電話部２０と、第２筐体１２に収納される第２処理部としてのパーソナルコンピュータ部３０すなわち情報処理装置と、第１筐体１１と第２筐体１２に電源を供給する電源部としての二次電池４０を有している。なお、二次電池４０は第１筐体１１と第２筐体１２のいずれに収納されても良い。この二次電池４０からの電源供給を受け、電子機器１０は携帯利用が可能となっている。なお、二次電池４０は電源の一例であり、電源として一次電池が利用される形態であってもよい。
【００２２】
携帯電話部２０は、アンテナ２１、ＲＦ（高周波）回路部２２、ＣＰＵ／メモリコントローラ／グラフィックコントローラ２３、メモリ２４、オーディオ部２５、オーディオ部２５内のＲＴＣ（Ｒｅａｌ  Ｔｉｍｅ  Ｃｌｏｃｋ）回路２６、電源コントローラ２７、スイッチ部２８、及び表示部２９（図１の表示部１３に対応）を有している。
【００２３】
ＲＦ回路部２２はアンテナ２１を用い基地局５０との間で無線通信を行い、高周波信号の変復調、データの符号化及び復号を行う。ＣＰＵ／メモリコントローラ／グラフィックコントローラ２３は、ＣＰＵでメモリ２４を使用して携帯電話の各種処理を実行し、メモリコントローラでメモリ２４の書き込みと読み出しを制御し、また、グラフィックコントローラで表示部２９に画像を表示する。また、ＣＰＵ／メモリコントローラ／グラフィックコントローラ２３はパーソナルコンピュータ部３０のＩ／Ｏコントローラ３３とＳＰＩ（Ｓｅｒｉａｌ  Ｐｅｒｉｐｈｅｒａｌ  Ｉｎｔｅｒｆａｃｅ）バスやパラレルバスを含むバス４１により互いに接続されており、両者の間で各種データの授受を行う。
【００２４】
オーディオ部２５はマイクロホンからの入力音声の処理、ＣＰＵ／メモリコントローラ／グラフィックコントローラ２３から供給される受信音声データの処理、等の音声処理を行う。オーディオ部２５内のＲＴＣ回路２６はクロックを生成してカウントすることで計時を行い、日付を含む時刻情報を生成する。この時刻情報はＣＰＵ／メモリコントローラ／グラフィックコントローラ２３、オーディオ部２５、電源コントローラ２７等で使用される。
【００２５】
電源コントローラ２７は二次電池４０から電源を供給されており、スイッチ部２８の操作に応じて携帯電話部２０全体の電源をオン／オフすると共に、パーソナルコンピュータ部３０の電源コントローラ３６の制御を行う。スイッチ部２８は図１に示す携帯電話部２０の電源スイッチ１４及びパーソナルコンピュータ部３０の電源スイッチ１５に対応している。なお、図３では電源コントローラ２７，３６間を専用の制御線で接続しているが、電源コントローラ２７からの電源コントローラ３６への制御は制御バス４１を介して行う構成としてもよい。
【００２６】
パーソナルコンピュータ部３０は、ＣＰＵ／メモリコントローラ／グラフィックコントローラ３１、メモリ３２、Ｉ／Ｏコントローラ（入出力コントローラ）３３、Ｉ／Ｏコントローラ３３内のＲＴＣ回路３４、キーボード部３５、電源コントローラ３６を有している。
【００２７】
ＣＰＵ／メモリコントローラ／グラフィックコントローラ３１は、ＣＰＵでメモリ３２を使用してパーソナルコンピュータの各種処理を実行し、メモリコントローラでメモリ３２の書き込みと読み出しを制御し、また、グラフィックコントローラで表示部２９に画像を表示する。また、Ｉ／Ｏコントローラ３３はバス４１により携帯電話部２０のＣＰＵ／メモリコントローラ／グラフィックコントローラ２３との間で各種データの授受を行う。Ｉ／Ｏコントローラ３３内のＲＴＣ回路３４はクロックを生成してカウントすることで計時を行い、日付を含む時刻情報を生成する。この時刻情報はＣＰＵ／メモリコントローラ／グラフィックコントローラ３１、Ｉ／Ｏコントローラ３３、電源コントローラ３６等で使用される。
【００２８】
キーボード部３５は図１のキーボード部１６に対応している。キーボード部３５は複数のキーを有し、ユーザによりキー入力が行われる。なお、キーボード部３５はＣＰＵ／メモリコントローラ／グラフィックコントローラ２３とバスで接続されている。ＣＰＵ／メモリコントローラ／グラフィックコントローラ２３は、ユーザによるキーボード部３５の操作を受け、その操作に対応する処理を実行する。電源コントローラ３６は二次電池４０から電源を供給されており、携帯電話部２０の電源コントローラ２７からの制御によりパーソナルコンピュータ部３０全体の電源をオン／オフする。
【００２９】
二次電池４０は例えばリチウムイオン電池であり、第１筐体１１と第２筐体１２に電源を供給する。
【００３０】
本実施形態の基本動作としては、携帯電話部２０の電源投入時に基地局５０から時刻情報を取得して、取得した時刻情報をＲＴＣ回路２６に設定し、ＲＴＣ回路２６でクロックの生成及びカウントアップを行って時刻情報を更新する。また、携帯電話部２０からの制御により、パーソナルコンピュータ部３０の電源コントローラ３６はパーソナルコンピュータ部３０の電源をオン／オフする。
【００３１】
そして、パーソナルコンピュータ部３０の電源がオン時に、携帯電話部２０のＲＴＣ回路２６からＣＰＵ／メモリコントローラ／グラフィックコントローラ２３、バス４１、Ｉ／Ｏコントローラ３３を経由してパーソナルコンピュータ部３０に時刻情報を転送し、転送した時刻情報をＲＴＣ回路３４に設定する。その後、ＲＴＣ回路３４でクロックの生成及びカウントアップを行って時刻情報を更新する。
【００３２】
また、携帯電話部２０とパーソナルコンピュータ部３０の電源はＲＴＣ回路２６，３４も含め全て二次電池４０から供給する。携帯電話部２０の電源スイッチ１４がオンのとき携帯電話部２０に二次電池４０から電源が供給され、携帯電話部２０の電源スイッチ１４とパーソナルコンピュータ部３０の電源スイッチ１５がオンのとき携帯電話部２０とパーソナルコンピュータ部３０に二次電池４０から電源が供給される。電源スイッチ１５がオフのときには、ＲＴＣ回路３４も含めパーソナルコンピュータ部３０は一切、電源を消費しない。また、電源スイッチ１４がオフのときには、携帯電話部２０とパーソナルコンピュータ部３０は一切、電源を消費しない。
【００３３】
＜電子機器のフローチャート＞
図４に電子機器１０の電源及びＲＴＣ動作の一実施形態のフローチャートを示す。図４においては、携帯電話部２０を携帯部、パーソナルコンピュータ部３０をＰＣ部、電源スイッチを電源ＳＷと表記している。ステップＳ１で電源コントローラ２７は携帯電話部２０の電源スイッチ１４が操作されてオンとなっているか否かを判別し、電源スイッチ１４がオフであればステップＳ２で電源コントローラ２７は携帯電話部２０全体の電源をオフし、電源コントローラ２７は電源コントローラ３６にパーソナルコンピュータ部３０全体の電源をオフさせて処理を終了する。
【００３４】
電源スイッチ１４がオンであればステップＳ３で電源コントローラ２７は携帯電話部２０全体の電源をオンする。ステップＳ４でＣＰＵ／メモリコントローラ／グラフィックコントローラ２３はＲＦ回路部２２が基地局５０から受信した時刻情報を取得する。ステップＳ５でＣＰＵ／メモリコントローラ／グラフィックコントローラ２３は取得した時刻情報をＲＴＣ回路２６に設定し、ＲＴＣ回路２６でクロックの生成及びカウントアップを行って時刻情報を更新する。
【００３５】
次に、ステップＳ６で電源コントローラ２７はパーソナルコンピュータ部３０の電源スイッチ１５が操作されてオンとなっているか否かを判別し、電源スイッチ１５がオフであればステップＳ１１で電源コントローラ２７は電源コントローラ３６にパーソナルコンピュータ部３０全体の電源をオフさせる。その後、ステップＳ５に進む。
【００３６】
電源スイッチ１５がオンと同時にステップＳ７で電源コントローラ２７は電源コントローラ３６にパーソナルコンピュータ部３０全体の電源をオンさせる。次に、ステップＳ８にて、ＣＰＵ／メモリコントローラ／グラフィックコントローラ２３は、ＲＴＣ回路２６の時刻情報を取得し、バス４１を介して、Ｉ／Ｏコントローラ３３に供給される。そして、ステップＳ９でＩ／Ｏコントローラ３３は取得した時刻情報をＲＴＣ回路３４に設定し、ＲＴＣ回路２６でクロックの生成及びカウントアップを行って時刻情報を更新する。
【００３７】
こののち、ステップＳ１０で電源コントローラ２７はパーソナルコンピュータ部３０の電源スイッチ１５がオンかオフかを判別し、電源スイッチ１５がオフであればステップＳ１１に進み、パーソナルコンピュータ部３０全体の電源をオフする。電源スイッチ１５がオンであればステップＳ９に進み、ＲＴＣ回路２６で時刻情報を更新する。
【００３８】
本実施形態では、携帯電話部２０の利用が主であり、パーソナルコンピュータ部３０の利用が一時的である運用を想定している。このため、パーソナルコンピュータ部３０の未使用時にはパーソナルコンピュータ部３０の電源を完全にオフし、パーソナルコンピュータ部３０の利用時にパーソナルコンピュータ部３０の電源をオンする。また、パーソナルコンピュータ部３０は、電源がオフからオンされる際に、携帯電話部２０から最新の時刻情報を受け取る。
【００３９】
長期間での本電子機器の利用を考えた場合、パーソナルコンピュータ部３０の電源は高頻度でオフされ、パーソナルコンピュータ部３０が起動する毎に時刻情報が取得されるため、パーソナルコンピュータ部３０における時刻ズレが起きにくい。また、パーソナルコンピュータ部３０の電源オフ時にＲＴＣ回路３４は電源を全く消費しないので、一般的なパーソナルコンピュータで必要となるＲＴＣ回路専用の一次電池が不要となり、電子機器の小型化が可能となる。
【００４０】
また、携帯電話部２０とパーソナルコンピュータ部３０それぞれで、ＲＴＣ回路２６，３４それぞれのカウントアップを行うため時刻情報の同期処理は不要となり、時刻情報の同期作業を行わないためＣＰＵ／メモリコントローラ／グラフィックコントローラ２３，Ｉ／Ｏコントローラ３３におけるシステム負荷の軽減が可能である。
【符号の説明】
【００４１】
１０  電子機器
１１  第１筐体
１２  第２筐体
１３，２９  表示部
１４，１５  電源スイッチ
１６，３５  キーボード部
２０  携帯電話部
２１  アンテナ
２２  ＲＦ回路部
２３，３１  ＣＰＵ／メモリコントローラ／グラフィックコントローラ
２４，３２  メモリ
２５  オーディオ部
２６，３４  ＲＴＣ回路
２７，３６  電源コントローラ
２８  スイッチ部
２９  表示部
３０  パーソナルコンピュータ部
４０  二次電池
５０  基地局
３３  Ｉ／Ｏコントローラ
３５  キーボード部
【図１】
2012120625.tif 000003
【図２】
2012120625.tif 000004
【図３】
2012120625.tif 000005
【図４】
2012120625.tif 000006
【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
計時を行う第１計時回路を持つ第１処理部と、
前記第１処理部とデータ授受可能に接続されており、計時を行う第２計時回路を持つ第２処理部と、
前記第１処理部と前記第２処理部に電源を供給する電源部とを有し、
前記第２処理部は前記第１処理部の前記第１計時回路から時刻情報を取得して前記第２計時回路に設定する
ことを特徴とする電子機器。
【請求項２】
請求項１記載の電子機器において、
前記電源部から前記第１処理部への電源の供給をオン／オフする第１電源スイッチを
有することを特徴とする電子機器。
【請求項３】
請求項２記載の電子機器において、
前記電源部から前記第２処理部への電源の供給をオン／オフする第２電源スイッチを
有することを特徴とする電子機器。
【請求項４】
請求項３記載の電子機器において、
前記第２電源スイッチは、前記第１電源スイッチがオンで前記第１処理部への電源の供給行っているときにオンする
ことを特徴とする電子機器。
【請求項５】
請求項４記載の電子機器において、
前記第１処理部は、携帯電話回路であり、前記第１電源スイッチがオンして前記第１処理部への電源の供給を行ったときに基地局から時刻情報を取得して前記第１計時回路に設定する
ことを特徴とする電子機器。
【請求項６】
請求項５記載の電子機器において、
前記第２処理部は、前記第２電源スイッチがオンして前記第２処理部への電源の供給を行ったときに前記第１処理部の前記第１計時回路から時刻情報を取得する
ことを特徴とする電子機器。
【請求項７】
請求項５記載の電子機器において、
前記第２処理部は、携帯電話回路と異なる機能をもつ情報処理回路であることを特徴とする電子機器。
【国際調査報告】
2012120625.tif 000007
2012120625.tif 000008
2012120625.tif 000009
2012120625.tif 000010